(57)【要約】【課題】机の天板に取付けられる肘掛け台において、使用者に不快感を与えず、見栄えのよい簡易型の肘掛け台を提供する。【解決手段】肘掛け本体３は、天板２の上面に当接する上面当接部３１と、天板２の側縁から突出する本体突出部３２とを備え、固定板４は、天板２の下面に当接する下面当接部４１と、天板２の側縁から突出する固定突出部４３とを備え、ネジ止め機構は、本体突出部３２の下面に設けられた棒状ネジ５と、固定突出部４３に設けられた貫通孔４３ａと、棒状ネジ５に螺着自在なナット７とで構成され、固定突出部４３は、下面当接部４１に対し、ナット７の上下方向の長さ以上、上方に位置する。【選択図】図３
0003139960.tif 000002
【実用新案登録請求の範囲】
【請求項１】
肘を載せる肘掛け本体と、肘掛け本体の下方に位置する固定板と、肘掛け本体と固定板とを連結し肘掛け本体に対して固定板を昇降させるネジ止め機構とを備え、机の天板を肘掛け本体と固定板とで挟み込むことにより天板に取付けられる肘掛け台において、
肘掛け本体は、天板の上面に当接する上面当接部と、天板の側縁から突出する本体突出部とを備え、
固定板は、天板の下面に当接する下面当接部と、天板の側縁から突出する固定突出部とを備え、
前記ネジ止め機構は、本体突出部の下面に設けられ下方へ延びる棒状ネジと、固定突出部に設けられ棒状ネジを内挿自在な貫通孔と、棒状ネジに螺着自在なナットとで構成され、
棒状ネジを貫通孔に通してナットを棒状ネジに螺着し、肘掛け本体の上面当接部を天板の上面に当接させた状態で、固定板の下面当接部を天板の下方に位置させて、ナットを締めることにより、固定板を肘掛け本体側に近づけるように上昇させ、肘掛け本体の上面当接部と固定板の下面当接部とにより天板を上下方向から挟み込んで天板に取り付けられ、
固定板の固定突出部は、下面当接部に対し、ナットの上下方向の長さ以上、上方に位置することを特徴とする肘掛け台。
【請求項２】
請求項１記載の肘掛け台において、前記棒状ネジは前記本体突出部の下面に設けられたネジ穴に着脱自在に螺着されることを特徴とする肘掛け台。
【請求項３】
肘を載せる肘掛け本体と、肘掛け本体の下方に位置する固定板と、肘掛け本体と固定板とを連結し肘掛け本体に対して固定板を昇降させるネジ止め機構とを備え、机の天板を肘掛け本体と固定板とで挟み込むことにより天板に取付けられる肘掛け台において、
肘掛け本体は、天板の上面に当接する上面当接部と、天板の側縁から突出する本体突出部とを備え、
固定板は、天板の下面に当接する下面当接部と、天板の側縁から突出する固定突出部とを備え、
前記ネジ止め機構は、本体突出部の下面に設けられたネジ穴と、固定突出部に設けられネジ穴と対応する貫通孔と、ヘッド部を有し貫通孔に挿入してネジ穴に螺着自在なヘッド付ネジとで構成され、
肘掛け本体の上面当接部を天板の上面に当接させた状態で、固定板の下面当接部を天板の下方に位置させて、ヘッド付ネジを貫通孔に通してネジ穴に螺着することにより、固定板を肘掛け本体側に近づけるように上昇させ、肘掛け本体の上面当接部と固定板の下面当接部とにより天板を上下方向から挟み込んで天板に取り付けられ、
固定板の固定突出部は、下面当接部に対し、ヘッド付ネジのヘッド部の上下方向の長さ以上、上方に位置することを特徴とする肘掛け台。
【考案の詳細な説明】
【技術分野】
【０００１】
本考案は、机の天板に取り付けられる肘掛け台に関する。
【背景技術】
【０００２】
従来、机の天板に取り付けられる取付部材と、取付部材に回転可能に取り付けられた第１アームと、第１アームの先端に回転可能に取り付けられた第２アームと、第２アームの先端に回転可能に取り付けられた肘掛け部とで構成される肘掛け台が知られている（例えば、特許文献１参照）。
【０００３】
特許文献１の肘掛け台の取付部材は、天板上面に当接する上面当接部を有する取付部材本体と、取付部材本体の下方に位置し、天板下面に当接する下面当接部を有する固定板と、取付部材本体を貫通して固定板のネジ孔に螺着されるネジとで構成される。
【０００４】
ここで、上記肘掛け台は部品点数が多く製造コストが嵩む為、これを簡易化したものとして、回転可能な第１アームと第２アームとを省き、肘掛け部を板状として取付部材本体と一体化した簡易型の肘掛け台が考えられる。
【０００５】
しかしながら、この場合、肘掛け部の上面にネジ孔が位置することとなるため、肘を肘掛け部に載せた際に、ネジ孔に肘が引掛かり使用者に不快感を与える虞がある。また、ネジ孔は製品の見栄えを悪くし、更にネジ孔に消しゴムの消しクズ等のゴミや埃が詰まり易いといった問題もある。
【特許文献１】実用新案登録第３０７７７７０号公報
【考案の開示】
【考案が解決しようとする課題】
【０００６】
本考案は、以上の点に鑑み、使用者に不快感を与えず、見栄えのよい簡易型の肘掛け台を提供することを目的とする。
【課題を解決するための手段】
【０００７】
上記目的を達成するため、本考案は、肘を載せる肘掛け本体と、肘掛け本体の下方に位置する固定板と、肘掛け本体と固定板とを連結し肘掛け本体に対して固定板を昇降させるネジ止め機構とを備え、机の天板を肘掛け本体と固定板とで挟み込むことにより天板に取付けられる肘掛け台において、肘掛け本体は、天板の上面に当接する上面当接部と、天板の側縁から突出する本体突出部とを備え、固定板は、天板の下面に当接する下面当接部と、天板の側縁から突出する固定突出部とを備え、前記ネジ止め機構は、本体突出部の下面に設けられ下方へ延びる棒状ネジと、固定突出部に設けられ棒状ネジを内挿自在な貫通孔と、棒状ネジに螺着自在なナットとで構成され、棒状ネジを貫通孔に通してナットを棒状ネジに螺着し、肘掛け本体の上面当接部を天板の上面に当接させた状態で、固定板の下面当接部を天板の下方に位置させて、ナットを締めることにより、固定板を肘掛け本体側に近づけるように上昇させ、肘掛け本体の上面当接部と固定板の下面当接部とにより天板を上下方向から挟み込んで天板に取り付けられ、固定板の固定突出部は、下面当接部に対し、ナットの上下方向の長さ以上、上方に位置することを特徴とする。
【０００８】
本考案によれば、ネジ止め機構を、本体突出部の下面に設けられた棒状ネジと、固定突出部に設けられた貫通孔と、棒状ネジに螺着自在なナットとで構成しているため、従来のように肘掛け台の上面に開口するネジ孔を形成する必要がない。このため、本考案の肘掛け台によれば、使用者が肘を載せても不快感を感じることがなく、また、肘掛け台の上方からの見栄えをよくすると共に、肘掛け台の上面にゴミや埃などが詰まることがなく、清潔に保つことができる。また、ナットが固定板の下面当接部より下方へ突出しないため、引出し付の机の天板に本考案の肘掛け台を取り付けてもナットが邪魔することなく引出しを引き出すことができると共に、使用者の膝や太股などがナットにぶつかり使用者に不快感を与える虞を防止することができる。
【０００９】
また、本考案においては、棒状ネジを本体突出部の下面に設けられたネジ穴に着脱自在に螺着されるように構成してもよい。かかる構成によれば、棒状ネジを交換することができるため、机の天板の厚さに応じて適切な長さの棒状ネジを選択することにより、棒状ネジを固定板の下面当接部より下方へ突出することを防止することができる。これにより、引出し付の机の天板に本考案の肘掛け台を取り付けても棒状ネジが邪魔することなく引出しを引き出すことができる。
【００１０】
また、本考案の肘掛け台は、上記ネジ止め機構に代えて、ネジ止め機構を、本体突出部の下面に設けられたネジ穴と、固定突出部に設けられネジ穴と対応する貫通孔と、ヘッド部を有し貫通孔に挿入してネジ穴に螺着自在なヘッド付ネジとで構成し、肘掛け本体の上面当接部を天板の上面に当接させた状態で、固定板の下面当接部を天板の下方に位置させて、ヘッド付ネジを貫通孔に通してネジ穴に螺着することにより、固定板を肘掛け本体側に近づけるように上昇させ、肘掛け本体の上面当接部と固定板の下面当接部とにより天板を上下方向から挟み込んで天板に取り付け、固定板の固定突出部は、下面当接部に対し、ヘッド付ネジのヘッド部の上下方向の長さ以上、上方に位置するように構成してもよい。
【００１１】
かかる構成によっても、使用者が肘を載せても不快感を感じることがなく、また、肘掛け台の上方からの見栄えをよくすると共に、肘掛け台の上面にゴミや埃などが詰まることを防止し、清潔に保つことができる。また、ヘッド付ネジのヘッド部が固定板の下面当接部より下方へ突出しないため、引出し付の机の天板に本考案の肘掛け台を取り付けてもヘッド部が邪魔することなく引出しを引き出すことができると共に、使用者の膝や太股などがヘッド部にぶつかり使用者に不快感を与える虞を防止することができる。
【考案を実施するための最良の形態】
【００１２】
本考案の肘掛け台の実施形態を図１〜図３を参照して説明する。なお、図１，図２においては、紙面上下方向を横方向、紙面左右方向を前後方向、紙面垂直方向を上下方向と定義して説明する。また、図３においては、紙面上下方向を上下方向、紙面左右方向を前後方向、紙面垂直方向を横方向と定義して説明する。
【００１３】
図１に示すように、本考案の実施形態の肘掛け台１は、机の天板２の前縁部に取り付けられるものである。図２，図３に示すように、肘掛け台１は板状でスチール製の肘掛け本体３とスチール製の固定板４とを備える。
【００１４】
図３に示すように、肘掛け本体３の下面には下方へ延びるガイド板３ａが溶接されている。このガイド板３ａを境界線として、肘掛け本体３の、天板２側に位置する部分が天板２の上面に当接する上面当接部３１であり、反対側の部分が肘掛け台１を天板２に取り付けた際に天板２から突出する本体突出部３２である。ガイド板３ａを天板２の前縁に当接させることにより、肘掛け本体３が天板２に対して位置決めされる。
【００１５】
本体突出部３２の下面には、上面当接部３１側に位置させて一対の支持ナット３ｂが溶接されている。支持ナット３ｂには、天板２の厚さに対応する長さの棒状ネジ５が着脱自在に螺着されている。天板２の厚さは机によって異なることがあるため、天板２の厚さに応じて適切な長さの棒状ネジ５を支持ナット３ｂに螺着させることにより肘掛け台１を天板２に取り付けた際に棒状ネジ５が固定板４の最下端より下方へ突出することを防止できる。このため、引出し付の机に肘掛け台１を取り付けても、棒状ネジ５が邪魔とならず引出しを引き出すことができる。棒状ネジ５の下端部は、マイナス溝等の工具と接続自在な接続部（図示省略）が設けられ、これにより、棒状ネジ５を工具で容易に支持ナット３ｂに螺着することができる。
【００１６】
固定板４は、天板２の下面に当接する下面当接部４１を備える。下面当接部４１の前端縁は上方に向かって延びる起立部４２が連設されている。起立部４２の前面には、前方へ向かって延びる固定突出部４３が溶接されている。固定突出部４３には、支持ナット３ｂに対応する一対の貫通孔４３ａが形成されている。各貫通孔４３ａには、内径が棒状ネジ５の径よりも大きい筒状体６が挿入されている。筒状体６の下端にはフランジ６１が形成され、このフランジ６１が固定突出部４３の下面に当接するように構成されている。筒状体６のフランジ６１は固定突出部４３と溶接してもよい。
【００１７】
また、棒状ネジ５の下端部には、筒状体６の下方に位置させて蝶ナット７が着脱自在に螺着されている。蝶ナット７を用いることにより工具を使用することなく手で蝶ナット７を回すことができ、着脱作業が容易となる。これにより、例えば、特定の使用者が定められていない企業の机や、図書館などの自習室の机などで、肘掛け台１を用いるよう場合のように、天板の厚さが同一である同種の机を利用するものの、使用の都度、異なる場所の机を利用するため、その都度、着脱作業を要するような環境下で用いる場合であっても、一度、棒状ネジ５の長さを天板に合わせれば、その後は蝶ナット７を回すだけで着脱できるようになり、手軽に使用することができる。また、本体突出部３２の周縁はゴム等の弾性材料８で覆われている。
【００１８】
実施形態の肘掛け台１を机の天板２に取り付ける際には、まず、天板２の厚さに対応する長さの棒状ネジ５を選択し、選択した棒状ネジ５を各支持ナット３ｂに螺着する。そして、各棒状ネジ５を、対応する固定板４の貫通孔４３ａに挿入する。そして、筒状体６を、各貫通孔４３ａに挿入しつつ、各棒状ネジ５に内挿する。そして、各棒状ネジ５に蝶ナット７を螺着させる。そして、天板２を肘掛け本体２の上面当接部３１と固定板４の下面当接部４１とで上下方向から挟み込むようにして肘掛け本体３の上面当接部３１を天板２の上面に当接させると共に、ガイド板３ａを天板２の前端縁に当接させる。そして、両蝶ナット７を締め付けることにより、固定板４が上昇して、天板２を上面当接部３１と下面当接部４１とで上下方向から挟み込み、肘掛け台１が天板２に取り付けられる。
【００１９】
実施形態の肘掛け台１によれば、肘掛け台１の上面にネジ孔を形成する必要がないため、肘を載せても使用者が不快感を感じることがなく、また、肘掛け台１の上方からの見栄えをよくすると共に、ゴミや埃等の詰まることなく、肘掛け台１の上面を清潔に保つことができる。
【００２０】
また、棒状ネジ５と蝶ナット７とが固定板４の下面当接部４１の下面よりも下方へ突出しないため、引出し付の机の天板に肘掛け台１を取り付けても、棒状ネジ５や蝶ナット７が邪魔することなく引出しを引き出すことができると共に、使用者の膝や太股などが棒状ネジ５や蝶ナット７にぶつかり使用者に不快感を与える虞を防止することができる。
【００２１】
なお、棒状ネジ５に螺着される蝶ナット７で締め付けるものを説明したが、棒状ネジ５と蝶ナット７に代えて蝶ネジやボルト等のヘッド部を有するヘッド付ネジを用いても同様に本考案の効果を得ることができる。この場合、ヘッド付ネジを支持ナット３ｂに螺着させて締め付け、固定板４を肘掛け本体３に対して上昇させればよい。
【００２２】
また、実施形態においてはネジが２つものもを説明しているが、ネジは１つでも３つ以上であってもよい。また、肘掛け本体３と固定板４の材質はスチールに限られず、他の金属又は合成樹脂などでもよい。
【図面の簡単な説明】
【００２３】
【図１】本考案の実施形態の肘掛け台の使用例を示す説明図。
【図２】実施形態の肘掛け台の平面図。
【図３】図２のＩＩＩ−ＩＩＩ線で切断した状態を示す説明的断面図。
【符号の説明】
【００２４】
１…肘掛け台、  ２…天板、  ３…肘掛け本体、  ３ａ…ガイド板、  ３ｂ…支持ナット、  ３１…上面当接部、  ３２…本体突出部、  ４…固定板、  ４１…下面当接部、  ４２…起立部、  ４３…固定突出部、  ４３ａ…貫通孔、  ５…棒状ネジ、  ６…筒状体、  ６１…フランジ、  ７…蝶ナット、  ８…弾性材料。
【図１】
0003139960.tif 000003
【図２】
0003139960.tif 000004
【図３】
0003139960.tif 000005